(57)【特許請求の範囲】
【請求項１】
着用者の前後方向に対応する縦方向及びこれに直交する横方向を有すると共に、股下部並びに該股下部の前後から縦方向に延出する腹側部及び背側部に区分されており、該腹側部から該背側部にわたる吸収体と、該吸収体の非肌対向面側に配された外装シート体とを具備する吸収性物品であって、
前記腹側部又は前記背側部においては、前記横方向に延びる弾性部材が、前記吸収体を横切って前記外装シート体に配されており、
前記外装シート体は、前記吸収体と重なる領域においては、前記弾性部材が伸縮性を有していない非伸縮領域となり、前記吸収体の横方向両外方領域においては、前記弾性部材が伸縮性を有する伸縮領域となっており、
前記外装シート体は、少なくとも前記非伸縮領域及び前記伸縮領域において、着色された着色部を有する不織布を備え、
前記非伸縮領域及び前記伸縮領域のうち該非伸縮領域にのみ、前記外装シート体に、前記不織布の構成繊維が周囲よりも高密度で且つ周囲の前記着色部よりも色の濃い複数の高密度濃色部が形成されており、
前記高密度濃色部が縦方向に延びる形状を有している、吸収性物品。
【請求項２】
前記外装シート体は前記不織布として、着用状態において前記吸収性物品の最外面を構成する外層シートを有し、
前記外層シートにおける肌対向面に、印刷された前記着色部を有する、請求項１に記載の吸収性物品。
【請求項３】
前記外装シート体は前記不織布として、着用状態において前記吸収性物品の最外面を形成する外層シートと、該外層シートの肌対向面に対向配置された内層シートとを含み、
前記外層シートの肌対向面、及び／又は、前記内層シートの非肌対向面に、印刷された前記着色部を有する、請求項１に記載の吸収性物品。
【請求項４】
前記非伸縮領域には、複数の前記高密度濃色部が、縦方向に間欠的に配されている、請求項１〜３の何れか１項に記載の吸収性物品。
【請求項５】
前記高密度濃色部は、前記弾性部材と重ならないように配されている、請求項１〜４の何れか１項に記載の吸収性物品。
【請求項６】
前記非伸縮領域には、複数の前記高密度濃色部が、横方向に間欠的に配されており、
横方向に隣り合う該高密度濃色部どうしの間隔は、前記非伸縮領域の横方向の中央領域よりも、前記非伸縮領域における該中央領域の横方向両外方領域の方が狭い、請求項１〜５の何れか１項に記載の吸収性物品。
【発明の詳細な説明】
【技術分野】
【０００１】
本発明は、使い捨ておむつ等の吸収性物品に関する。
【背景技術】
【０００２】
吸収性物品の１種である使い捨ておむつとして、吸収性本体と、該吸収性本体よりも着用者の身体から遠い側に配された外装体とを備えたパンツ型使い捨ておむつが知られている。斯かる構成のパンツ型使い捨ておむつにおいて、従来、外装体の色は白色が多かった。しかし、近年、おしゃれ感を向上させるために、外装体に柄を印刷したり、外装体を着色したりして、使い捨ておむつをカラー化したいとのニーズがあった。
【０００３】
これとは別の技術として、特許文献１には、不織布に連続線の融着部およびドット状の融着部を形成し、不織布を構成する繊維ウエッブの表面に盛り上り感を生じさせ、不織布に嵩高でソフトな外観を付与する技術が開示されている。また、特許文献２には、熱可塑性繊維からなる不織布と着色された熱可塑性樹脂フィルムとを積層した積層体に模様状に熱圧着部を形成し、不織布面に着色模様を顕出してデザイン性を向上させ、柔軟性を向上させる技術が開示されている。
【先行技術文献】
【特許文献】
【０００４】
【特許文献１】特開平１０-７７５６６号公報
【特許文献２】特開平８-１９５７０号公報
【発明の概要】
【発明が解決しようとする課題】
【０００５】
一般的な構成のパンツ型使い捨ておむつにおいては、外装体は、吸収体と重なる領域では弾性部材が伸縮し難い難伸縮領域となり、吸収体の横方向両外方領域においては、弾性部材が伸縮性を有する伸縮領域となっている。そして、カラー化したいとのニーズに応える為、単に、外装体に柄を印刷したり、外装体を着色したりしただけでは、難伸縮領域におけるカラー化部分と伸縮領域におけるカラー化部分とでは、色の濃さが異なるように見えるようになり、均一な色合いのカラー化を実現することが難しかった。
【０００６】
また、特許文献１及び特許文献２には、難伸縮領域と伸縮領域とで、融着部或いは熱圧着部を如何に配置するか等に関して、何ら記載されていない。
【０００７】
したがって本発明は、前述した従来技術が有する欠点を解消し得る吸収性物品を提供することにある。
【課題を解決するための手段】
【０００８】
本発明は、着用者の前後方向に対応する縦方向及びこれに直交する横方向を有すると共に、股下部並びに該股下部の前後から縦方向に延出する腹側部及び背側部に区分されており、該腹側部から該背側部にわたる吸収体と、該吸収体の非肌対向面側に配された外装シート体とを具備する吸収性物品であって、前記腹側部又は前記背側部においては、前記横方向に延びる弾性部材が、前記吸収体を横切って前記外装シート体に配されており、前記外装シート体は、前記吸収体と重なる領域においては、前記弾性部材が伸縮性を有していない非伸縮領域となり、前記吸収体の横方向両外方領域においては、前記弾性部材が伸縮性を有する伸縮領域となっており、前記外装シート体は、少なくとも前記非伸縮領域及び前記伸縮領域において、着色された着色部を有する不織布を備え、前記非伸縮領域には、前記外装シート体に、前記不織布の構成繊維が周囲よりも高密度で且つ周囲の前記着色部よりも色の濃い複数の高密度濃色部が形成されており、前記高密度濃色部が縦方向に延びる形状を有している、吸収性物品を提供するものである。
【発明の効果】
【０００９】
本発明によれば、均一な色合いのカラー化を実現することができ、意匠性が高い吸収性物品が提供される。
【図面の簡単な説明】
【００１０】
【図１】図１は、本発明の吸収性物品の一実施形態であるパンツ型使い捨ておむつの一例を模式的に示す斜視図である。
【図２】図２は、図１に示すおむつの展開且つ伸長状態における肌対向面側を一部破断して模式的に示す展開平面図である。
【図３】図３は、図１に示すおむつを模式的に示す分解斜視図である。
【図４】図４は、図２のＩ−Ｉ線断面、即ちおむつの腹側部側のウエスト端縁及びその近傍を模式的に示す縦断面図である。
【図５】図５は、図１に示す使い捨ておむつの備える外装シート体における非伸縮領域を外面側から見た部分拡大平面図である。
【図６】図６は、図５のＩＩ−ＩＩ線断面における外装シート体の断面を模式的に示す部分拡大断面図である。
【図７】図７は、本発明の吸収性物品のさらに他の実施形態である展開型使い捨ておむつの一例であり、該おむつの展開且つ伸長状態における非肌対向面側を模式的に示す展開平面図である。
【図８】図８は、図７のＩＩＩ−ＩＩＩ線断面を模式的に示す横断面図である。
【発明を実施するための形態】
【００１１】
以下本発明を、その好ましい実施形態に基づき図面を参照しながら説明する。図１〜図４には、本発明の吸収性物品の一実施形態であるパンツ型使い捨ておむつの一例であるおむつ１Ａが示されている。おむつ１Ａは、着用者の前後方向に対応する縦方向Ｘ及びこれに直交する横方向Ｙを有すると共に、股下部Ｂ並びに該股下部Ｂの前後から縦方向Ｘに延出する腹側部Ａ及び背側部Ｃに区分されており、腹側部Ａから背側部Ｃにわたる吸収体２３と、吸収体２３の非肌対向面側に配された、外装シート体３とを具備する。股下部Ｂは、おむつ１Ａの着用状態において着用者の股間部に配される部位であり、腹側部Ａは、おむつ１Ａの着用状態において股下部Ｂよりも着用者の腹側即ち前側に配される部位であり、背側部Ｃは、おむつ１Ａの着用状態において股下部Ｂよりも着用者の股下部Ｂよりも着用者の背側即ち後側に配される部位である。
【００１２】
おむつ１Ａは、吸収体２３を具備する吸収性本体２と、該吸収性本体２よりも着用者の身体から遠い側に配された外装シート体３とを備え、腹側部Ａ及び背側部Ｃそれぞれにおける外装シート体３の縦方向Ｘに沿う両側縁部ＡＳ，ＣＳどうしが、接着剤、ヒートシール、超音波シール等の公知の接合手段によって互いに接合されて、図１に示すように、一対のサイドシール部Ｓ，Ｓ、並びに着用者の胴が通されるウエスト開口部ＷＨ、及び着用者の下肢が通される一対のレッグ開口部ＬＨ，ＬＨが形成されている。
【００１３】
おむつ１Ａは、図２に示すように、おむつ１Ａを縦方向Ｘに二分して横方向Ｙに延びる縦中心線ＣＬｘを基準として、着用状態において着用者の身体の前側（腹側）を覆う前身頃Ｆと、着用状態において着用者の身体の後側（背側）を覆う後身頃Ｒとに区分される。腹側部Ａは前身頃Ｆの一部であり、背側部Ｃは後身頃Ｒの一部であり、股下部Ｂは前身頃Ｆと後身頃Ｒとに跨って存している。腹側部Ａ及び背側部Ｃは、何れも縦方向Ｘにおいてサイドシール部Ｓと同位置にある部分であり、おむつ１Ａの着用状態において着用者のウエスト部を含む胴周りに配される。股下部Ｂは、外装シート体３の縦方向Ｘに沿う両側縁部にレッグ開口部ＬＨ，ＬＨ形成用の凹欠部が形成されている領域である。股下部Ｂは、おむつ１Ａの着用状態において着用者の排泄部（ペニス等）に対向配置される排泄部対向部を有しており、該排泄部対向部は通常、おむつ１Ａの縦方向Ｘの中央部（縦中心線ＣＬｘ上）又はその近傍に位置している。
【００１４】
吸収性本体２は、図２に輪郭線で示したように平面視長方形形状をなし、腹側部Ａから背側部Ｃにわたって縦方向Ｘに延在しており、その長手方向を展開且つ伸長状態におけるおむつ１Ａの縦方向Ｘに一致させて、外装シート体３の横方向Ｙの中央部に配置され、接着剤により外装シート体３に接合されている。
【００１５】
吸収性本体２は、図２に示すように、肌対向面を形成する液透過性の表面シート２１、非肌対向面を形成する液不透過性若しくは液難透過性又は撥水性の裏面シート２２、及び両シート２１，２２間に介在配置された液保持性の吸収体２３を具備しており、これらが接着剤等の公知の接合手段により一体化されて構成されている。吸収体２３は、平面視長方形形状をなし、吸収性本体２の外形を形作っており、図２に示す如き平面視において、吸収体２３と吸収性本体２とは縦方向両端縁が一致している。表面シート２１、裏面シート２２及び吸収体２３としては、それぞれ、この種の吸収性物品に従来用いられている各種のものを特に制限なく用いることができる。例えば、表面シート２１としては各種の不織布や開孔フィルム等を用いることができ、裏面シート２２としては樹脂フィルムや、樹脂フィルムと不織布等とのラミネート等を用いることができる。吸収体２３としては、パルプ繊維等の繊維材料の集合体又は吸水性ポリマー粒子を含んで構成される吸収性コアを有するものを用いることができ、該吸収性コアはその外面が液透過性のコアラップシートで被覆されていても良い。
【００１６】
本明細書において、「肌対向面」は、吸収性物品又はその構成部材（例えば吸収性本体）における、吸収性物品の着用時に着用者の肌側に向けられる面、即ち相対的に着用者の肌に近い側であり、「非肌対向面」は、吸収性物品又はその構成部材における、吸収性物品の着用時に肌側とは反対側、即ち相対的に着用者の肌から遠い側に向けられる面である。尚、ここでいう「着用時」は、通常の適正な着用位置、即ち当該吸収性物品の正しい着用位置が維持された状態を意味し、吸収性物品が該着用位置からずれた状態にある場合は含まない。
【００１７】
図２に示すように、吸収性本体２の肌対向面における縦方向Ｘに沿う左右両側部には、液抵抗性又は撥水性で且つ通気性のシート材から構成された一対の防漏カフ２４，２４が設けられている。各防漏カフ２４の自由端部の近傍には糸状の防漏カフ形成用弾性部材２５が１本以上伸長状態で配されている。防漏カフ２４は、伸長状態で配された弾性部材２５がおむつ１Ａの着用時に収縮することによって少なくとも股下部Ｂで起立し、それによって尿等の排泄液の横方向Ｙの外方への流出を阻止する。
【００１８】
腹側部Ａ又は背側部Ｃにおいては、横方向Ｙに延びる弾性部材が、吸収体２３を横切って外装シート体３に配されていることが好ましく、おむつ１では、図１及び図２に示すように、腹側部Ａ及び背側部Ｃの何れにおいても、後述する横方向Ｙに延びる胴回り弾性部材３４が外装シート体３に配されている。ここで、外装シート体３は、おむつ１Ａの外形を形成する主体部であり、自ずと、腹側部Ａ、股下部Ｂ及び背側部Ｃそれぞれの外形を形成する主体部でもある。即ち外装シート体３は、おむつ１Ａの全構成部材のうちで面積が最大であり、図２に示す如き展開且つ伸長状態のおむつ１Ａの外形を形作っており、外装シート体３の周縁は、その状態のおむつ１Ａの輪郭線、即ち腹側部Ａ、股下部Ｂ及び背側部Ｃそれぞれの輪郭線を形成している。おむつ１Ａの「展開且つ伸長状態」とは、おむつ１Ａをサイドシール部Ｓで切り離して展開状態とし、その展開状態のおむつ１Ａを各部の弾性部材を伸長させて設計寸法（弾性部材の影響を一切排除した状態で平面状に広げたときの寸法と同じ）となるまで拡げた状態をいう。
【００１９】
外装シート体３は、図２に示す如き展開且つ伸長状態の平面視において、腹側部Ａ及び背側部Ｃにおいては、縦方向Ｘよりも横方向Ｙの長さが長い矩形形状をなし、腹側部Ａと背側部Ｃとの間に位置する股下部Ｂにおいては、外装シート体３の縦方向Ｘに沿う両側縁部即ち一対のレッグ縁部ＬＳ，ＬＳが横方向Ｙの中央に向かって凸の円弧状に湾曲している。おむつ１Ａの外形を形成する主体部である外装シート体３が、展開且つ伸長状態において斯かる平面視形状を有していることにより、同状態のおむつ１Ａの平面視形状は、図２に示すように、縦方向Ｘの中央域が横方向Ｙの内方に向けて括れた砂時計状である。
【００２０】
外装シート体３は、図３に示すように、着用状態においておむつ１Ａの最外面即ち非肌対向面を形成する外層シート３１と、外層シート３１の肌対向面３１ａに対向配置された内層シート３２と含んで構成されている。つまり、斯かる外層シート３１及び内層シート３２の積層体は、おむつ１Ａの外形を形成する主体部であり、腹側部Ａ、股下部Ｂ及び背側部Ｃそれぞれの外形を形成する主体部でもある。外装シート体３においては、外層シート３１及び内層シート３２は不織布から構成されている。
【００２１】
外層シート３１は、おむつ１Ａの全構成部材のうちで、着用者の肌から最も遠くに位置する構成部材である。内層シート３２は、外層シート３１よりも相対的に着用者の身体から近い側に位置し、着用状態においておむつ１Ａの内面即ち肌対向面を形成する。外層シート３１と内層シート３２との間は、所定の部位において接着剤によって接合されている。外層シート３１及び内層シート３２としては、それぞれ、この種の吸収性物品において外装シート体として従来用いられている各種のものを特に制限なく用いることができ、例えば、スパンボンド不織布、エアスルー不織布、ニードルパンチ不織布等の各種製法による不織布が好ましい。
【００２２】
図１〜図３に示すように、一対のレッグ開口部ＬＨ，ＬＨそれぞれの開口縁部を形成するレッグ縁部ＬＳには、糸状又は帯状の１本又は複数本のレッグギャザー形成用のレッグ弾性部材３３が伸長状態で配されており、これによって一対のレッグ開口部ＬＨ，ＬＨそれぞれの開口縁部には、その全周にわたって実質的に連続した環状のレッグギャザーが形成される。
【００２３】
また、おむつ１Ａでは、腹側部Ａ及び背側部Ｃそれぞれにおける、ウエスト部を含む着用者の胴周りに配される部位には、糸状又は帯状の胴回り弾性部材３４が横方向Ｙに伸長状態で複数本配され、それら複数本の胴回り弾性部材３４は縦方向Ｘに所定間隔を置いて間欠配置されている。腹側部Ａ及び背側部Ｃはそれぞれ、図２に示すように、おむつ１Ａの着用状態において着用者の腰回り及びその近傍に配されるウエスト域Ｄを有しており、そのウエスト域Ｄに胴回り弾性部材３４が伸長状態で配されており、胴回り弾性部材３４は、外装シート体３の横方向Ｙの略全長に亘って延びている。ウエスト域Ｄは、腹側部Ａ及び背側部Ｃそれぞれにおいて、ウエスト端縁ＡＥ，ＣＥから吸収体２３（吸収性本体２）の縦方向Ｘの端縁にわたる、ウエスト端縁ＡＥ，ＣＥ寄りの胴回り領域（吸収性本体２の非配置領域）であり、通常、腹側部Ａ又は背側部Ｃの縦方向Ｘの全長の８〜８０％を占める。ウエスト端縁ＡＥは、外装シート体３の腹側部Ａ側の縦方向Ｘの端縁、ウエスト端縁ＣＥは、外装シート体３の背側部Ｃ側の縦方向Ｘの端縁であり、ウエスト開口部ＷＨは両端縁ＡＥ，ＣＥによって画成される。このように、ウエスト域Ｄに胴回り弾性部材３４がその弾性伸縮性が発現される状態で配されていることにより、ウエスト開口部ＷＨの開口縁部には、その全周にわたって実質的に連続した環状のウエストギャザーが形成される。
【００２４】
おむつ１Ａでは、図３に示すように、腹側部Ａ及び背側部Ｃそれぞれにおける、縦方向Ｘにおいて外装シート体３と吸収性本体２（吸収体２３）とが重なる領域、すなわち、ウエスト域Ｄよりも股下部Ｂ寄りの領域（ウエスト域Ｄ以外の領域）において、糸状又は帯状の胴回り弾性部材３４が、縦方向Ｘに所定間隔を置いて間欠配置されている。このウエスト域Ｄ以外の領域に配された胴回り弾性部材３４は、吸収性本体２（吸収体２３）を横切って、外装シート体３に配されている。そして、外装シート体３における吸収性本体２の配置領域（平面視において吸収性本体２と重なる領域）において、胴回り弾性部材３４は分断されるなどして伸縮性が阻害されており、弾性伸縮性が発現される状態では配されていない。また、外装シート体３における、吸収体２３の横方向Ｙ両外方領域においては、胴回り弾性部材３４が伸縮可能な状態となっている。以上の各弾性部材３３，３４は、何れも外装シート体３を構成する外層シート３１と内層シート３２との間に接着剤等の接合手段により挟持固定されている。各弾性部材３３，３４としては、天然ゴム、ポリウレタン系樹脂、発泡ウレタン系樹脂、ホットメルト系伸縮部材等の伸縮性素材を糸状（糸ゴム）又は帯状（平ゴム）に形成したものが好ましく用いられる。
【００２５】
以上のように配された胴回り弾性部材３４を有する外装シート体３は、図１に示すように、吸収性本体２の吸収体２３と重なる領域においては、胴回り弾性部材３４が伸縮性を有していない非伸縮領域ＮＥＸとなり、吸収体２３の横方向Ｙ両外方領域においては、胴回り弾性部材３４が伸縮性を有する伸縮領域ＥＸとなっている。
【００２６】
図１〜図４に示すように、腹側部Ａ及び背側部Ｃにおいて、外層シート３１は、内層シート３２の縦方向端縁３２Ｅから縦方向Ｘの外方に延出し且つ内層シート３２の肌対向面３２ａに向けて折り返されている、折り返し部３１０を有している。即ち外層シート３１は、内層シート３２と同形状・同寸法の部分、即ちおむつ１Ａの外形を形成する主体部を構成する部分に加えてさらに、両シート３１，３２を積層した際に内層シート３２の縦方向Ｘの両端縁３２Ｅ，３２Ｅそれぞれから外方に延出する部分を有し、その延出部が折り返し部３１０である。尚、図４では、腹側部Ａ側の折り返し部３１０を示すが、背側部Ｃ側の折り返し部３１０も腹側部Ａ側と同様に構成されており、特に断らない限り、腹側部Ａ側の折り返し部３１０の説明が適宜適用される。
【００２７】
腹側部Ａ及び背側部Ｃそれぞれのウエスト域Ｄに配された外層シート３１の折り返し部３１０は、腹側部Ａ及び背側部Ｃの外形を形成する主体部である外装シート体３（外層シート３１と内層シート３２との積層体）の肌対向面、より具体的には、ウエスト域Ｄにおける内層シート３２の肌対向面３２ａを横方向Ｙに横断している。折り返し部３１０の先端、即ち折り返し部３１０における股下部Ｂ側に位置する端縁３１０Ｅは、図２に示すように、吸収性本体２（吸収体２３）よりも縦方向Ｘの外方に位置しており、つまり、折り返し部３１０は吸収性本体２（吸収体２３）と重なっていない。折り返し部３１０は、ホットメルト型接着剤等の接着剤３５によって内層シート３２の肌対向面３２ａに固定されている。
【００２８】
また、おむつ１Ａにおいては、図１〜図３に示すように、吸収性本体２の縦方向Ｘの両端部の肌対向面が、外装シート体３とは別体の本体端部固定シート５によって被覆されている。本体端部固定シート５は、平面視において横方向Ｙに長い矩形形状をなし、腹側部Ａ及び背側部Ｃそれぞれの横方向Ｙの全長にわたって連続している。本体端部固定シート５も、折り返し部３１０と同様に、腹側部Ａ及び背側部Ｃの外形を形成する主体部の肌対向面、より具体的にはウエスト域Ｄにおける内層シート３２の肌対向面３２ａを、吸収性本体２の縦方向Ｘの端部と重なりつつ、横方向Ｙに横断している。おむつ１Ａにおいては、本体端部固定シート５の非肌対向面の略全域が、該非肌対向面と対向する面に対して、ホットメルト型接着剤等の接着剤によって接合されており、従って、本体端部固定シート５の股下部Ｂ側に位置する縦方向Ｘの端縁を含む端部域は、本体端部固定シート５の非肌対向面と対向する面に固定されていて、該面から浮かないようになされている。
【００２９】
本体端部固定シート５の採用により、吸収性本体２の縦方向端部からの尿等の排泄液の漏れ防止、吸収性本体２の縦方向端部の露出防止による外観良化等の効果が奏される。本体端部固定シート５の縦方向Ｘの長さ即ち幅は、特に制限されないが通常２０〜６０ｍｍ程度である。本体端部固定シート５としては、外層シート３１及び内層シート３２として使用可能な各種不織布、該不織布の素材として使用可能な樹脂からなるフィルム状シートなどを用いることができる。
【００３０】
外装シート体３は、少なくとも非伸縮領域ＮＥＸ及び伸縮領域ＥＸにおいて、着色された着色部４０を有する不織布を備えている。外装シート体３は、上述のように、不織布で構成された外層シート３１及び内層シート３２を備えている。おむつ１Ａでは、上述の通り、胴回り弾性部材３４を外層シート３１と内層シート３２との間に挟持固定しており、図１〜図４に示すように、外層シート３１の肌対向面３１ａ及び内層シート３２の非肌対向面３２ｂが、それぞれ、地色と異なる着色部４０（図中、ドットパターンが付された部分）を有している。また、外層シート３１の折り返し部３１０の非肌対向面３１０ｂが、折り返し部３１０の地色と異なる着色部４０を有している。より具体的には、外層シート３１は、折り返し部３１０を除いて、内層シート３２との対向面である肌対向面の全域に印刷された着色部４０を有し、また内層シート３２は、その非肌対向面即ち外層シート３１との対向面の全域に印刷された着色部４０を有しており、両シート３１，３２の何れも着色部４０は露出してない。また、外層シート３１の折り返し部３１０は、内層シート３２との対向面である非肌対向面３１０ｂの全域に印刷された着色部４０を有している。つまりおむつ１Ａにおいては、おむつ１Ａの外形を形成する主体部である、外層シート３１と内層シート３２との積層体の全体が、地色と異なる色に着色されており、またその着色された部分は、該積層体を構成する両シート３１，３２の界面に存在し、外面に露出していない。
【００３１】
着色部４０の色は、外層シート３１及び内層シート３２における着色部４０以外の部分が呈する地色と目視で区別し得る色であれば良く、任意の色を選択し得る。例えばおむつ１Ａの各構成部材の地色が白色の場合、着色部４０の色としては、赤色、青色、黄色などを選択することができる。着色部４０は、外層シート３１、内層シート３２などのおむつ１Ａの構成部材に対し、公知の方法により印刷を施すことで形成することができる。
【００３２】
尚、おむつ１Ａにおいては、本体端部固定シート５は、その非肌対向面の全域が、印刷インクが付与されるなどして着色されているが、本体端部固定シート５は着色されずに地色のままでも良い。
【００３３】
おむつ１Ａでは、図５に示すように、吸収体２３と重なる領域である非伸縮領域ＮＥＸにおける外装シート体３に、外装シート体３を構成する不織布の構成繊維が周囲よりも高密度で且つ周囲の着色部４０よりも色の濃い複数の高密度濃色部６が形成されており、高密度濃色部６が縦方向Ｘに延びる形状を有している。好適には、高密度濃色部６は、図６に示すように、圧縮によって、外装シート体３を構成する不織布の構成繊維の密度が相対的に高くなった圧縮部から形成されている。従って、外装シート体３の非伸縮領域ＮＥＸが、圧縮により構成繊維の密度の高くなった高密度濃色部６と、高密度濃色部６以外の非圧縮部とに区分されている。ここで、外装シート体３を構成する外層シート３１は着色部４０を有し、外装シート体３を構成する内層シート３２は着色部４０を有している。その為、外層シート３１及び内層シート３２を構成する構成繊維の密度が高くなった高密度濃色部６では、高密度濃色部６以外の非圧縮部に比べて、繊維による乱反射が少なく、着色部４０の色が濃く見えるようになる。着色部４０の色を更に濃くする観点から、高密度濃色部６では、圧縮により構成繊維同士を隙間なく融着させてフィルム化することが好ましい。
【００３４】
高密度濃色部６は、外装シート体３を非肌対向面側から平面視した際の形状が、縦方向Ｘに延びる形状であれば、楕円形、長方形、三角形、菱形、波線形など種々の形状を採用することが可能であるが、おむつ１Ａでは、図５に示すように、縦方向Ｘに平行に延びる長方形を採用している。高密度濃色部６は、平面視した際の面積が、非伸縮領域ＮＥＸにおける着色部４０の色を濃く見えるようにする観点から、１ｍｍ2以上であることが好ましく、２ｍｍ2以上であることが更に好ましく、そして、１５０ｍｍ2以下であることが好ましく、５０ｍｍ2以下であることが更に好ましく、具体的には、１ｍｍ2以上１５０ｍｍ2以下であることが好ましく、２ｍｍ2以上５０ｍｍ2以下であることが更に好ましい。ここで、「高密度濃色部６が縦方向Ｘに延びる形状」とは、縦方向Ｘに延びてさえすれば、縦方向Ｘと平行に延びる形状のみならず、縦方向Ｘと４５°以下で交差しながら延びる形状も含む意味である。
【００３５】
おむつ１Ａでは、図５に示すように、縦方向Ｘに延びる複数の高密度濃色部６が、縦方向Ｘ及び横方向Ｙの両方向に分散して配されている。言い換えれば、縦方向Ｘに延びる複数の高密度濃色部６が、縦方向Ｘに間欠的に配されており、且つ横方向Ｙに間欠的に配されている。
各高密度濃色部６を平面視したときの幅Ｗ６は、非伸縮領域ＮＥＸにおける着色部４０の色を濃く見えるようにする観点、また、後述するように、高密度濃色部６が縦方向Ｘに延びる皺のように見え易くする観点から、０．３ｍｍ以上が好ましく、０．５ｍｍ以上が更に好ましく、また、５ｍｍ以下が好ましく、３ｍｍ以下が更に好ましく、具体的には、０．３ｍｍ以上５ｍｍ以下が好ましく、０．５ｍｍ以上３ｍｍ以下が更に好ましい。
各高密度濃色部６を平面視したときの長さ（長手方向長さ）Ｌ６は、同様の観点から、１ｍｍ以上が好ましく、３ｍｍ以上が更に好ましく、また、３０ｍｍ以下が好ましく、１５ｍｍ以下が更に好ましく、具体的には、１ｍｍ以上３０ｍｍ以下が好ましく、３ｍｍ以上１５ｍｍ以下が更に好ましい。
最も近接する高密度濃色部６，６同士に関しては、縦方向Ｘの間隔Ｄｘ６が、同様の観点から、０ｍｍ以上が好ましく、０．５ｍｍ以上が更に好ましく、また、１５ｍｍ以下が好ましく、５ｍｍ以下が更に好ましく、具体的には、０ｍｍ以上１５ｍｍ以下が好ましく、０．５ｍｍ以上５ｍｍ以下が更に好ましい。尤も、間隔Ｄｘ６が負の値、すなわち最も近接する高密度濃色部６，６同士が縦方向Ｘに関して重なり合うように配置されても構わない。そして、横方向Ｙの間隔Ｄｙ６が、同様の観点から、０．５ｍｍ以上が好ましく、１ｍｍ以上が更に好ましく、また、２０ｍｍ以下が好ましく、１０ｍｍ以下が更に好ましく、具体的には、０．５ｍｍ以上２０ｍｍ以下が好ましく、１ｍｍ以上１０ｍｍ以下が更に好ましい。
【００３６】
おむつ１Ａでは、図５に示すように、縦方向Ｘに延びる高密度濃色部６が、横方向Ｙに延びる弾性部材である胴回り弾性部材３４と重ならないように配されている。おむつ１Ａでは、吸収体２３と重なる領域である非伸縮領域ＮＥＸにおいて、胴回り弾性部材３４は横方向Ｙに細かく分断され、もはや弾性伸縮性が発現されない状態となっており、分断された胴回り弾性部材３４と、高密度濃色部６とが重ならないように、互いに離間して配されている。
【００３７】
外装シート体３における非伸縮領域ＮＥＸに配されている高密度濃色部６は、外装シート体３に熱エンボス加工を施し、外装シート体３を構成する外層シート３１及び内層シート３２の構成繊維の密度を高くし、横方向Ｙに伸長状態の胴回り弾性部材３４を分断するまで圧縮して形成することができる。熱エンボス加工を施す熱エンボス装置としては、エンボスロールとアンビルロールとを備え、そのエンボスロールの外周面に、高密度濃色部６に対応する形状の凸部を複数有するものを用いることができる。高密度濃色部６を形成する加工として、熱エンボス加工に代えて、超音波シール、レーザー等を採用することもできる。
【００３８】
以上の構成を有するおむつ１Ａにおいては、図１に示すように、外装シート体３が、吸収体２３と重なる領域に非伸縮領域ＮＥＸと、吸収体２３の横方向Ｙ両外方領域に伸縮領域ＥＸとを有している。また、外装シート体３は、少なくとも非伸縮領域ＮＥＸ及び伸縮領域ＥＸに着色された着色部４０を有する不織布を備えている。具体的におむつ１Ａでは、外装シート体３を構成する外層シート３１及び内層シート３２が、少なくとも非伸縮領域ＮＥＸ及び伸縮領域ＥＸにおいて、着色された着色部４０を有する不織布で構成されている。その為、外装シート体３の伸縮領域ＥＸにおいては、胴回り弾性部材３４の横方向Ｙへの収縮と共に外層シート３１及び内層シート３２に縦方向Ｘに皺が形成され易く、着色部４０の色が濃く見えるようになる。一方、外装シート体３の非伸縮領域ＮＥＸにおいては、前記皺と同方向の縦方向Ｘに延びる複数の高密度濃色部６が形成されており、高密度濃色部６は外装シート体３を構成する不織布の構成繊維が周囲よりも高密度で且つ周囲の着色部４０よりも色が濃いことから、非伸縮領域ＮＥＸにおける着色部４０の色が濃く見え易い。このように、おむつ１Ａでは、最外面側から見て、伸縮領域ＥＸの着色部４０の色と非伸縮領域ＮＥＸにおける着色部４０の色が同じ濃度の色合いに見え易く、伸縮領域ＥＸと非伸縮領域ＮＥＸとで均一な色合いのカラー化を実現することができ、意匠性が高くなり易い。
【００３９】
また、おむつ１Ａにおいては、図４に示すように、外装シート体３を構成する外層シート３１が肌対向面に着色部４０を有し、外装シート体３を構成する内層シート３２が非肌対向面に印刷された着色部４０を有しており、両シート３１，３２の何れも着色部４０が露出していない。その為、着色部４０を構成する印刷インクが着用者の肌や衣類に移行してこれらを汚すという不都合、いわゆる色移りが効果的に防止される。
【００４０】
また、おむつ１Ａにおいては、図４に示すように、外装シート体３の非伸縮領域ＮＥＸにおいては、高密度濃色部６が縦方向Ｘに間欠的に配されている。その為、高密度濃色部６が縦方向Ｘに延びる皺のように見え易く、伸縮領域ＥＸと非伸縮領域ＮＥＸとで均一な色合いを更に実現することができ、意匠性が更に高くなり易い。また、おむつ１Ａにおいては、図４に示すように、外装シート体３の非伸縮領域ＮＥＸにおいては、縦方向Ｘに延びる高密度濃色部６が、横方向Ｙに延びる弾性部材である胴回り弾性部材３４と重ならないように配されている。その為、高密度濃色部６が隠れてしまうことによる着色部４０の色むらが起こり難く、伸縮領域ＥＸと非伸縮領域ＮＥＸとで均一な色合いを更に実現することができ、意匠性が更に高くなり易い。
【００４１】
以上、本発明をその好ましい実施形態に基づき説明したが、本発明の吸収性物品は前記実施形態のおむつ１Ａに何ら制限されるものではなく、適宜変更可能である。
例えば、おむつ１Ａでは、外装シート体３を構成する外層シート３１の肌対向面に着色部４０を有し、外装シート体３を構成する内層シート３２の非肌対向面に着色部４０を有しているが、外層シート３１及び内層シート３２の一方に着色部４０を有していればよい。また、着色部４０は、外層シート３１及び内層シート３２以外の外装シート体３を構成するシートに配されていてもよく、該シートにおける胴回り弾性部材３４が配された領域、言い換えれば、胴回り弾性部材３４と重なる領域に配されていればよい。
【００４２】
また、おむつ１Ａでは、図５に示すように、縦方向Ｘに延びる高密度濃色部６が、縦方向Ｘ及び横方向Ｙの両方向に規則的に分散して配されているが、不規則に分散して配されていてもよい。例えば、伸縮領域ＥＸと非伸縮領域ＮＥＸとで均一な色合いを更に実現することができ、意匠性が更に高くなり易い観点から、横方向Ｙに隣り合う高密度濃色部６，６どうしの間隔は、外装シート体３の非伸縮領域ＮＥＸの横方向Ｙの中央領域よりも、非伸縮領域ＮＥＸにおける該中央領域の横方向Ｙ両外方領域の方が狭いことが好ましい。ここで、前記中央領域とは、外装シート体３の非伸縮領域ＮＥＸを横方向Ｙに三等分した際の真ん中の領域のことを意味し、前記両外方領域とは、非伸縮領域ＮＥＸを横方向Ｙに三等分した際の両サイドの領域のことを意味する。
【００４３】
また、おむつ１Ａでは、図２に示すように、腹側部Ａ及び背側部Ｃの何れにおいても、横方向Ｙに延びる胴回り弾性部材３４が、吸収体１３を横切って外装シート体３に配されているが、腹側部Ａ及び背側部Ｃの何れか一方であってもよい。背側部Ｃにのみ胴回り弾性部材３４が配されている使い捨ておむつとしては、例えば図７に示すような展開型の使い捨ておむつが挙げられる。後述するおむつ１Ｂについては、前述したおむつ１Ａと異なる構成部分を主として説明し、同様の構成部分は同一の符号を付して説明を省略する。特に説明しない構成部分は、おむつ１Ａについての説明が適宜適用される。
【００４４】
図７及び図８に示すおむつ１Ｂは、肌対向面即ち内面を形成する液透過性の表面シート１１、おむつ１Ｂの非肌対向面即ち外面を形成する液不透過性ないし撥水性の裏面シート１２、及び両シート１１，１２間に配置された吸収体１３を具備し、腹側部Ａ、股下部Ｂ及び背側部Ｃを縦方向Ｘに有し、且つ背側部Ｃの縦方向Ｘに沿う両側縁部に一対のファスニングテープ１４，１４を具備すると共に、腹側部Ａの非肌対向面に、ファスニングテープ１４止着用の被止着領域１５を具備する。また、おむつ１Ｂの縦方向Ｘに沿う両側部それぞれには、一側縁部に弾性部材１７が伸長状態で固定されているサイドシート１６が配されており、これにより、着用時における股下部Ｂには一対の防漏カフが形成される。また、着用者の脚周りに配される左右のレッグ部には、弾性部材１８が縦方向Ｘに沿って伸長状態で配されており、これにより、着用時におけるレッグ部には一対のレッグギャザーが形成される。
【００４５】
おむつ１Ｂの裏面シート１２は、吸収体１３の非肌対向面側に配された不織布を備える外装シート体３に相当しており、外装シート体３である裏面シート１２は、図８に示すように、吸収体１３から相対的に遠い外層シート１２０と、吸収体１３から相対的に近い内層シート１２１との積層体からなる。外層シート１２０は、着用者の肌から最も遠くに位置し、おむつ１Ｂの最外面を構成する。内層シート１２１は、吸収体１３と横方向Ｙの長さが略同じであるのに対し、外層シート１２０は内層シート１２１よりも横方向Ｙの長さが長く、内層シート１２１の非肌対向面の全域を被覆し、さらに内層シート１２１の縦方向Ｘに沿う両側縁から横方向Ｙの外方に延出して、サイドシート１６と共にサイドフラップ部を形成している。おむつ１Ｂにおいては、外層シート１２０としては、良好な風合いを得る観点から、各種不織布を用いることが好ましく、内層シート１２１としては、防漏性の確保の観点から、樹脂フィルムや、樹脂フィルムと不織布等とのラミネート等を用いることが好ましい。
【００４６】
外装シート体３である裏面シート１２は、図８に示すように、おむつ１Ｂの最外面を構成する外層シート１２０のみが着色部４０（図中、ドットパターンが付された部分）を有し、裏面シート１２よりも着用者の肌の近くに位置してこれを被覆している表面シート１１やサイドシート１６などの他の構成部材は着色されていない。また、外層シート１２０において、着色部４０が存在するのは肌対向面１２０ａの全域であり、おむつ１Ｂの外面をなす外層シート１２０の非肌対向面１２０ｂは着色されていない。つまりおむつ１Ｂにおいては、その外形を形成する主体部である外層シート１２０の全体が、その肌対向面１２０ａの全域に存する着色部４０によって地色と異なる色を呈しており、且つその着色部４０は、表面シート１１やサイドシート１６等の他の構成部材によって被覆されていて、露出していない。
【００４７】
おむつ１Ｂでは、図７に示すように、背側部Ｃにのみ、横方向Ｙに延びる胴回り弾性部材３４が、吸収体１３を横切って配されており、図８に示すように、外層シート１２０と内層シート１２１との間に配されている。胴回り弾性部材３４は、吸収体１３と重なる領域である非伸縮領域ＮＥＸにおいて、横方向Ｙに細かく分断され、もはや弾性伸縮性が発現されない状態となっている。このように配された胴回り弾性部材３４を有する外装シート体３である裏面シート１２は、吸収性本体２の吸収体１３と重なる領域においては、胴回り弾性部材３４が伸縮性を有していない非伸縮領域ＮＥＸとなり、吸収体１３の横方向Ｙ両外方領域においては、胴回り弾性部材３４が伸縮性を有する伸縮領域ＥＸとなっている。そして、おむつ１Ｂでは、外装シート体３である裏面シート１２は、少なくとも非伸縮領域ＮＥＸ及び伸縮領域ＥＸにおいて、着色された着色部４０を有する、不織布からなる外層シート１２０を備えている。
【００４８】
おむつ１Ｂでは、図７に示すように、外装シート体３である裏面シート１２の非伸縮領域ＮＥＸには、外装シート体３を構成する不織布の構成繊維が周囲よりも高密度で且つ周囲の着色部４０よりも色の濃い複数の高密度濃色部６が形成されており、高密度濃色部６が縦方向Ｘに延びる形状を有している。
以上の構成を有するおむつ１Ｂは、外装シート体３である裏面シート１２の伸縮領域ＥＸにおいて、胴回り弾性部材３４の横方向Ｙへの収縮と共に外層シート１２０及び内層シート１２１に縦方向Ｘに皺が形成され易く、着色部４０の色が濃く見えるようになる。一方、外装シート体３である裏面シート１２の非伸縮領域ＮＥＸにおいて、前記皺と同方向の縦方向Ｘに延びる複数の高密度濃色部６が形成されており、非伸縮領域ＮＥＸにおける着色部４０の色が濃く見え易い。このように、おむつ１Ｂでは、おむつ１Ａと同様に、おむつ１Ｂを最外面側から見て、伸縮領域ＥＸの着色部４０の色と非伸縮領域ＮＥＸにおける着色部４０の色が同じ濃度の色合いに見え易く、伸縮領域ＥＸと非伸縮領域ＮＥＸとで均一な色合いのカラー化を実現することができ、意匠性が高くなり易い。
【００４９】
前述した本発明の実施形態に関し、更に以下の吸収性物品を開示する。
【００５０】
＜１＞
着用者の前後方向に対応する縦方向及びこれに直交する横方向を有すると共に、股下部並びに該股下部の前後から縦方向に延出する腹側部及び背側部に区分されており、該腹側部から該背側部にわたる吸収体と、該吸収体の非肌対向面側に配された外装シート体とを具備する吸収性物品であって、
前記腹側部又は前記背側部においては、前記横方向に延びる弾性部材が、前記吸収体を横切って前記外装シート体に配されており、
前記外装シート体は、前記吸収体と重なる領域においては、前記弾性部材が伸縮性を有していない非伸縮領域となり、前記吸収体の横方向両外方領域においては、前記弾性部材が伸縮性を有する伸縮領域となっており、
前記外装シート体は、少なくとも前記非伸縮領域及び前記伸縮領域において、着色された着色部を有する不織布を備え、
前記非伸縮領域には、前記外装シート体に、前記不織布の構成繊維が周囲よりも高密度で且つ周囲の前記着色部よりも色の濃い複数の高密度濃色部が形成されており、
前記高密度濃色部が縦方向に延びる形状を有している、吸収性物品。
【００５１】
＜２＞
前記外装シート体は前記不織布として、着用状態において前記吸収性物品の最外面を構成する外層シートを有し、
前記外層シートにおける肌対向面に、印刷された前記着色部を有する、前記＜１＞に記載の吸収性物品。
＜３＞
前記外装シート体は前記不織布として、着用状態において前記吸収性物品の最外面を形成する外層シートと、該外層シートの肌対向面に対向配置された内層シートとを含み、
前記外層シートの肌対向面、及び／又は、前記内層シートの非肌対向面に、印刷された前記着色部を有する、前記＜１＞に記載の吸収性物品。
＜４＞
前記非伸縮領域には、複数の前記高密度濃色部が、縦方向に間欠的に配されている、前記＜１＞〜＜３＞の何れか１に記載の吸収性物品。
＜５＞
前記高密度濃色部は、前記弾性部材と重ならないように配されている、前記＜１＞〜＜４＞の何れか１に記載の吸収性物品。
＜６＞
前記非伸縮領域には、複数の前記高密度濃色部が、横方向に間欠的に配されており、
横方向に隣り合う該高密度濃色部どうしの間隔は、前記非伸縮領域の横方向の中央領域よりも、前記非伸縮領域における該中央領域の横方向両外方領域の方が狭い、前記＜１＞〜＜５＞の何れか１に記載の吸収性物品。
【００５２】
＜７＞
前記高密度濃色部では、構成繊維同士が隙間なく融着されている、前記＜１＞〜＜６＞の何れか１に記載の吸収性物品。
＜８＞
前記高密度濃色部は、平面視した際の面積が、１ｍｍ2以上、好ましくは２ｍｍ2以上であり、そして、１５０ｍｍ2以下、好ましくは５０ｍｍ2以下であり、具体的には、１ｍｍ2以上１５０ｍｍ2以下、好ましくは２ｍｍ2以上５０ｍｍ2以下である、前記＜１＞〜＜７＞の何れか１に記載の吸収性物品。
＜９＞
前記非伸縮領域には、複数の前記高密度濃色部が、縦方向に間欠的に配されており、且つ横方向に間欠的に配されている、前記＜１＞〜＜８＞の何れか１に記載の吸収性物品。
＜１０＞
前記高密度濃色部を平面視したときの幅Ｗ６は、０．３ｍｍ以上、好ましくは０．５ｍｍ以上であり、また、５ｍｍ以下、好ましくは３ｍｍ以下であり、具体的には、０．３ｍｍ以上５ｍｍ以下、好ましくは０．５ｍｍ以上３ｍｍ以下である、前記＜１＞〜＜９＞の何れか１に記載の吸収性物品。
＜１１＞
前記高密度濃色部は、縦方向に平行に延びている、前記＜１＞〜＜１０＞の何れか１に記載の吸収性物品。
【００５３】
＜１２＞
前記外装シート体は、着用状態において前記吸収性物品の最外面を形成する外層シートと、該外層シートの肌対向面に対向配置された内層シートとを含み、
前記弾性部材は前記外層シートと前記内層シートとの間に挟持固定されている、前記＜１＞〜＜１１＞の何れか１に記載の吸収性物品。
＜１３＞
前記外装シート体は、着用状態において前記吸収性物品の最外面を形成する外層シートと、該外層シートの肌対向面に対向配置された内層シートとを含み、
前記腹側部及び前記背側部において、前記外層シートは、前記内層シートの縦方向端縁から縦方向外方に延出し且つ該内層シートの肌対向面に向けて折り返されている、折り返し部を有している、前記＜１＞〜＜１２＞の何れか１に記載の吸収性物品。
＜１４＞
前記外層シートは、前記折り返し部を除いて、前記内層シートとの対向面である肌対向面の全域に印刷された前記着色部を有している、前記＜１３＞に記載の吸収性物品。
＜１５＞
前記外装シート体は、着用状態において前記吸収性物品の最外面を形成する外層シートと、該外層シートの肌対向面に対向配置された内層シートとを含み、
前記内層シートは、前記外層シートとの対向面である非肌対向面の全域に印刷された前記着色部を有している、前記＜１＞〜＜１４＞の何れか１に記載の吸収性物品。
【００５４】
＜１６＞
肌対向面を形成する液透過性の表面シート、非肌対向面を形成する液不透過性若しくは液難透過性又は撥水性の裏面シート、及び両シート間に介在配置された液保持性の吸収体を具備する吸収性本体を有する、前記＜１＞〜＜１５＞の何れか１に記載の吸収性物品。
＜１７＞
前記腹側部及び前記背側部はそれぞれ、吸収性物品のウエスト端縁から前記吸収体の縦方向の端部にわたるウエスト域を有しており、
前記ウエスト域に前記弾性部材が伸長状態で配されており、該弾性部材は、前記外装シート体の横方向の略全長に亘って延びている、前記＜１＞〜＜１５＞の何れか１に記載の吸収性物品。
＜１８＞
前記ウエスト領域は、前記腹側部又は前記背側部の縦方向の全長の４０〜８０％である、前記＜１７＞に記載の吸収性物品。
＜１９＞
前記ウエスト領域よりも前記股下部寄りの領域において、前記弾性部材が、前記吸収体を横切って、前記外装シート体に配されている、前記＜１７＞又は＜１８＞に記載の吸収性物品。
＜２０＞
前記腹側部の両側部と前記背側部の両側部とが接合されていることによって、一対のサイドシール部、ウエスト開口部及び一対のレッグ開口部が形成されている、前記＜１＞〜＜１９＞の何れか１に記載の吸収性物品。
＜２１＞
前記高密度濃色部は、エンボス加工により形成されている、前記＜１＞〜＜２０＞の何れか１に記載の吸収性物品。
＜２２＞
前記高密度濃色部は、縦方向に平行に延びる長方形である、前記＜１＞〜＜２１＞の何れか１に記載の吸収性物品。
【符号の説明】
【００５５】
１Ａ  パンツ型使い捨ておむつ（吸収性物品）
１Ｂ  展開型使い捨ておむつ（吸収性物品）
Ａ  腹側部
Ｂ  股下部
Ｃ  背側部
Ｄ  ウエスト域
ＡＥ，ＣＥ  ウエスト端縁
Ｆ  前身頃
Ｒ  後身頃
２  吸収性本体
２１  表面シート
２２  裏面シート
２３  吸収体
３  外装シート体（おむつの外形を形成する主体部）
３１  外層シート
３１ａ  外層シートの肌対向面
３１ｂ  外層シートの非肌対向面
３１０  折り返し部（肌最近接シート）
３１０ｂ  折り返し部の非肌対向面
３１０Ｅ  折り返し部の端縁
３２  内層シート
３２ａ  内層シートの肌対向面
３２ｂ  内層シートの非肌対向面
３３  レッグ弾性部材
３４  胴周り弾性部材
３５  接着剤
４０  着色部
５  本体端部固定シート（肌最近接シート）
１１  表面シート
１２  裏面シート
１２０  外層シート
１２１  内層シート
１３  吸収体
Ｘ  縦方向
Ｙ  横方向
【図１】
0006753701.tif 000002
【図２】
0006753701.tif 000003
【図３】
0006753701.tif 000004
【図４】
0006753701.tif 000005
【図５】
0006753701.tif 000006
【図６】
0006753701.tif 000007
【図７】
0006753701.tif 000008
【図８】
0006753701.tif 000009